(57)【要約】  本同期デバイスは、オフィス椅子の座部を支えるための座部キャリアと、前記オフィス椅子の支柱へ連接されるべき座部アームとを備え、前記座部キャリアは横軸を中心に前記座部アームに対して旋回可能であり、本同期デバイスはさらに、横軸を中心に旋回可能であるように前記座部アームへ、かつ前記座部キャリアへ連接される背もたれアームと、前記座部キャリアと背もたれアームとの同期動作に対抗するように適合化されるばねと、実質的に前記座部の長手方向へ延設されかつ前記座部アームへ接続されている滑動部材とを備え、前記座部キャリアは前記滑動部材に対して実質的に前記座部の前記長手方向へ滑動可能である。
2010507399.tif 000002
【特許請求の範囲】
【請求項１】
オフィス椅子のための同期デバイス（６）であって、
前記オフィス椅子の座部（１）を支えるための座部キャリア（７）と、
前記オフィス椅子における椅子の支柱（３）へ接続されるべき座部アーム（８）であって、前記座部キャリア（７）が横軸回りに前記座部アーム（８）に対して旋回可能である、座部アームと、
横軸回りに旋回可能であるように前記座部アーム（８）へ、かつ前記座部キャリア（７）へ接続される背もたれアーム（９）と、
前記座部キャリア（７）及び背もたれアーム（９）の同期動作に対抗するように適合されるばね（１９）と、
前記座部（１）の略長手方向（Ｄ）に延び、かつ前記座部アーム（８）へ接続されている滑動部材（１０）であって、前記座部キャリア（７）及び背もたれアーム（９）の前記同期動作が、前記滑動部材（１０）に対して、前記座部（１）のほぼ前記長手方向（Ｄ）へ、前記座部キャリア（７）の滑動動作をもたらすように調整されている、滑動部材（１０）と、
前記ばね（１９）の一方の端を支持するように適合化される第１のカウンタベアリング（２１）であって、前記同期動作の間に、前記座部キャリア（７）に対して定位置に保持されている、第１のカウンタベアリング（２１）と、
前記ばね（１９）のもう一方の端を支持するように適合化される第２のカウンタベアリング（２２）であって、前記同期動作の間、前記ばねの圧縮をもたらすために、前記第１のカウンタベアリングによる前記第２のカウンタベアリング方向への動作に対抗すべく前記滑動部材（１０）上の定位置に保持されるように適合化されている、第２のカウンタベアリング（２２）と、を備え、
前記滑動部材（１０）は、前記ばね（１９）の外側に設けられかつ長手方向に延設される接触面（１８）を備え、前記接触面（１８）は前記座部キャリア（７）の長手方向に延設される対応する接触面（１６）上を滑動可能であることを特徴とする同期デバイス。
【請求項２】
前記滑動部材は長手方向に延設される第２の接触面を備え、前記第２の接触面は前記座部キャリアの長手方向に延設される対応する第２の接触面上を滑動可能である、請求項１に記載の同期デバイス。
【請求項３】
前記座部キャリアは、前記滑動部材を前記座部の前記長手方向以外の方向に保持するための手段を備える、請求項１または２に記載の同期デバイス。
【請求項４】
前記滑動部材は、前記ばねを収容するハウジング部材の形態である、請求項１〜３のいずれかに記載の同期デバイス。
【請求項５】
前記第１のカウンタベアリングは前記ばねの前端に設けられ、かつ前記第２のカウンタベアリングは前記ばねの後端に設けられる、請求項１〜４のいずれかに記載の同期デバイス。
【請求項６】
前記ばねの内側に、かつ前記ばねと実質上同軸的に延設される調整ロッドをさらに備え、前記ロッドは前記座部キャリアに対する平行移動動作に対抗して保持される、請求項１〜５のいずれかに記載の同期デバイス。
【請求項７】
前記調整ロッドは前記第１のカウンタベアリングの内側のねじ山と協働する外側のねじ山を有する第１の回転可能なロッド部材を備え、前記内側のねじ山は、前記第１のカウンタベアリングが前記第１のロッド部材の回転によって前記ロッド部材の軸方向へ移動可能であるように回転不能であり、これにより前記ばねのプレテンションが与えられる、請求項６に記載の同期デバイス。
【請求項８】
前記調整ロッドは、その外面の一部にねじ山を有する第２の回転不能なロッド部材を備え、前記第２のカウンタベアリングは内側のねじ山を備え、前記内側のねじ山は予め画定された２つの位置間で、即ち前記ねじ山同士が嵌り合っていない非ロック位置と前記ねじ山同士が嵌り合っているロック位置との間で回転可能であり、前記ロック位置は、前記調整ロッドの滑動動作のロック、およびこれに伴う、所望される位置にある場合の前記座部キャリアの滑動動作のロックをもたらす、請求項６または７に記載の同期デバイス。
【発明の詳細な説明】
【技術分野】
【０００１】
本発明は、オフィス椅子のための同期デバイスに関し、
前記オフィス椅子の座部を支えるための座部キャリアと、
前記オフィス椅子における椅子の支柱へ接続されるべき座部アームであって、前記座部キャリアは横軸回りに前記座部アームに対して旋回可能である座部アームと、
横軸を中心にして旋回可能であるように前記座部アームへ、かつ前記座部キャリアへ接続される背もたれアームと、
前記座部キャリア及び背もたれアームの同期動作に対抗するように適合化されるばねと、
前記座部の略長手方向に延び、かつ前記座部アームへ連節されている滑動部材であって、前記座部キャリアが、前記滑動部材に対して前記座部のほぼ前記長手方向へ滑動可能である、滑動部材と
前記ばねの一方の端を支持するように適合化される第１のカウンタベアリングであって、前記同期動作の間に、前記座部キャリアに対して定位置に保持される前記第１のカウンタベアリングと、
前記ばねのもう一方の端を支持するように適合化される第２のカウンタベアリングであって、前記同期動作の間に、前記滑動部材上の定位置に保持される第２のカウンタベアリングと、
を備えている。
【背景技術】
【０００２】
同期デバイスは、概して、オフィス椅子の座部キャリアと背もたれアームとの同期された相互に依存し合う動作をもたらすために使用され、この動作の間、背もたれは座部よりも大きく旋回する。椅子の座部は座部キャリア上へ載っていて、背もたれは背もたれアーム上へ取り付けられる。ユーザが後方へもたれかかり、よって背もたれに力が加わると、背もたれアームおよび背もたれは、背もたれの下部の近くに位置合わせされる横軸を中心にして旋回する。同期的に、椅子のキャリアおよび椅子の座部は後方へ滑動し、かつ同時に、椅子の座部の前端近くに位置合わせされる横軸を中心とする背もたれの旋回角より小さい角度で旋回する。背もたれの旋回角と座部の旋回角との割合は、通常、約１：２．５と１：３との間である。好適には、椅子は重さがないように見える同期動作を与えるべくばねで荷重され、よって、椅子の座部と背もたれは、前後へのもたれかかりに際してユーザの動作に動的に従う。無重力動作は、典型的には、同期動作の間にユーザによって椅子上へ加えられる重力に対抗するばね手段によってもたらされる。同期デバイスは、オフィス椅子の容易で快適かつ人間工学に基づく調節を提供する。
【０００３】
導入部において記述したタイプの同期デバイスは、ＥＰ１３９６２１３Ｂ１から既知である。座部キャリアの下に位置合わせされる４つの平行する螺旋ばねは、座部キャリアおよび背もたれキャリアの後方への同期動作に対抗する。座部アームは椅子の支柱へ連接され、背もたれアームは座部アームおよび座部キャリアへ連接される。ばね毎に、スライドロッドの形態の滑動部材が、螺旋ばね内部の中空部を介して長手方向に座部キャリアの滑動方向へ延設される。各スライドロッドは、個々の回転／滑動ジョイントを介して一端が座部アームへ接続され、もう一方の端が個々のばねの後方支持を与えるカウンタベアリングへ固定される。回転／滑動ジョイントは、座部キャリアの前部に設けられる長手方向のスロット内で回転しかつ滑動するスライドロッドのピンを備える。座部キャリア上の個々のカウンタベアリングは、各ばねの前方支持を与える。座部キャリアは、回転／滑動ジョイント内でスライドロッドおよび座部アームと相対的に滑動することができる。ばねのプレテンション用には、２つの代替例が準備される。第１の代替例は、スライドロッドの前端または後端に位置合わせされるカム状部材を提供し、これらのカムは横方向の調整ロッド上へ設けられる。調整ロッドが回転すると、カムはスライドロッドをその長手方向へ変位させ、これにより、スライドロッドのカウンタベアリングが変位して螺旋ばねが圧縮または引き伸ばされる。第２の代替例は、座部の前端近くに位置合わせされるギヤを提供する。ギヤは、調整ロッドの回転動作を複数のスライドロッドの平行移動動作へ変換する。スライドロッドには、その個々の後端に後方カウンタベアリングの個々の相補的なねじ山に係合するねじ山が設けられ、これにより、スライドロッドのその長手方向への変位がもたらされ、カウンタベアリング間の距離が短縮されかつ個々のばねが圧縮される。
【０００４】
ＥＰ１３９６２１３Ｂ１の同期デバイスには、幾つかの欠点がある。スライドロッドは、背もたれに斜めの力が加わると異なる距離を滑動する傾向があり、即ち、座部平面に望ましくない回転が発生する場合があるが、３つ以下のばね、例えば単一のばねを装着する場合にはこの傾向がさらに強まる。この結果、雑音が生じ、かつ同期デバイスが動かなくなることがある。数個のばねおよび複雑な調整装置を使用すれば、デバイスの製造は高価に、かつサイズは大型化し、デバイスは審美的に魅力のないものとなって、設計の自由度が減る。さらに、回転／滑動ジョイントは過剰な摩耗に曝され、起動時には、ジョイントのピンおよびスロットの小さい接触面に大きい力が加わってきしみ音が生じることがある。ユーザは、典型的には１日に何度もその座り位置を変えることから、これは重大な欠点である。さらに、調整ノブは座部キャリアの動作に従わず、よって同期動作の間に座部および背もたれとの相対位置を変える。また、所望される位置に達しても、座部および背もたれをロックすることは不可能である。
【発明の概要】
【０００５】
本発明の目的は、滑動部材に対する座部キャリアの滑動動作が改良され、かつ向上した設計自由度をもたらす上述のタイプの同期デバイスを提供することにある。
【０００６】
この目的を達成するために、本同期デバイスは、前記滑動部材が前記ばねの外側に設けられかつ長手方向へ延設される接触面を備え、前記接触面は、対応的に長手方向へ延設される前記座部キャリアの接触面上で滑動可能であることを特徴とする。
【０００７】
本発明によれば、第２のカウンタベアリングが固定される滑動部材がばねの外側に設けられ、即ち、ばねの内側には存在しないことから、座部キャリアと滑動部材との接触面の設計により多い自由度が与えられる。長手方向に延設される接触面を設けることにより、所定の設計においては接触面積が増大し、座部キャリアおよび滑動部材は、座部と背もたれとの同期動作の間に互いに加える圧力を減らす。これにより、接触面上の摩耗が減り、動作の間に生成される雑音が減る。摩耗が減ることから、好適には摩耗耐性がより低くかつ雑音がより少ないプラスチック等の材料であるさらに多様な材料をパーツの構築に利用可能である。
【０００８】
さらに、本発明による同期デバイスは、滑動部材に対する座部キャリアの滑動動作の向上された制御可能性をもたらす。長手方向の接触面は、座部キャリアによる所望される滑動方向以外の任意の方向への動作を保持するためにより効果的な手段を適用する秀でた可能性をもたらす。したがって、デバイスに単一のばねしか使用しない場合でも、滑動方向は効果的に制御されることが可能である。ばねを１つしか使用しない場合は、同期デバイスの設計の複雑さが緩和されて経済的優位点がもたらされ、デバイスにより占有されるスペースも減る。これにより、オフィス椅子の外見および設計自由度が向上する。
【０００９】
本発明による同期デバイスを使用すれば、とりわけ、ばねのプレテンションをデバイスの組立て後に初めて与えることが可能であるという理由により、デバイスの容易かつ迅速な組立てを提供することが可能である。
【００１０】
最後に、滑動動作をばねの外側に設けることにより、例えば、ばねのプレテンションを調整するための調整装置および座部および背もたれを所望される位置にロックするための任意のロック装置の位置合わせに関する設計自由度が高まる。これは、これらの装置をばねの内部へより高度に位置合わせできることに起因する。また、このタイプのばねは、必ずしも中空である必要はないことから選択の自由が高まる。
【００１１】
本発明による同期デバイスの好適な一実施形態において、前記滑動部材は長手方向に延設される第２の接触面を備え、前記第２の接触面は、前記座部キャリアの長手方向に延設される対応する第２の接触面上を滑動可能である。さらなる接触面を設けることは、接触面積をさらに増大させ、かつ制御可能性をさらに向上させる。
【００１２】
別の好適な実施形態において、前記座部キャリアは、前記滑動部材を前記座部の前記長手方向以外の方向へ保持するための手段を備える。
【００１３】
別の好適な実施形態において、前記滑動部材は、前記ばねを収容するハウジング部材の形態である。ハウジングは、ばね等の同期デバイスのパーツを隠すために使用されることが可能であって、椅子の外見をよくし、可動パーツを仕切る。これにより、安全性は高まり、ハウジング内部の任意の可動パーツに制御面が設けられる。
【００１４】
別の好適な実施形態において、前記第１のカウンタベアリングは前記ばねの前端に設けられ、前記第２のカウンタベアリングは前記ばねの後端に設けられる。これは、ユーザがオフィス椅子上で後にもたれかかる、またはオフィス椅子に寄り掛かると、ばねの圧縮によってばね力をもたらす。或いは、これらのカウンタベアリングは対向して位置合わせされ、後方へのもたれかかりの間にばねを伸ばす。
【００１５】
ある特に好適な実施形態において、本同期デバイスは、前記ばねの内部に前記ばねと実質上同軸に延設される調整ロッドをさらに備え、前記ロッドは、前記座部キャリアとの相対的な平行移動動作に対抗して保持される。前記調整ロッドは、好適には、前記第１のカウンタベアリングの内側のねじ山と協働する外側のねじ山を有する第１の回転可能なロッド部材を備え、前記内側のねじ山は、前記第１のカウンタベアリングが前記第１のロッド部材の回転により前記ロッド部材の軸方向に動作可能であるように回転不能であって、これにより、前記ばねにプレテンションがかけられる。より好適には、前記調整ロッドは、その外面の一部にねじ山を有する第２の回転不能なロッド部材を備え、前記第２のカウンタベアリングは内側のねじ山を備え、前記内側のねじ山は予め画定された２つの位置間で、即ち前記ねじ山同士が嵌り合っていない非ロック位置と前記ねじ山同士が嵌り合っているロック位置との間で回転可能であり、前記ロック位置は、前記調整ロッドの滑動動作のロック、およびこれに伴う、所望される位置にある場合の前記座部キャリアの滑動動作のロックをもたらす。調整ロッドは、単純かつ比較的小型であってばねの内側に設けられ、コストを低減しかつ椅子の外見を向上させる。調整ロッドはさらに、ばねにプレテンションを与えかつ／または座部キャリアを所望される位置でロックするための優れた調整可能性をもたらす。調整ロッドは座部キャリアに追随し、よって、ユーザが座る位置に関わらず、椅子に座っているユーザに対して同じ位置に配置される。これにより、調整ロッドに取り付けられる任意のノブの位置合わせに関して選択の自由度が高まる。この新規調整ロッドは、本発明による同期デバイスの新規設計によって設けることができる。
【図面の簡単な説明】
【００１６】
以下、略図を参照して、本発明を実施形態例により詳細に説明する。
【図１】本発明による同期デバイスの一実施形態が設けられたオフィス椅子を示す側面図であり、オフィス椅子は直立位置にある。
【図２】傾斜位置で示す、図１によるオフィス椅子の側面図である。
【図３】図１によるオフィス椅子を下方から示す斜視図である。
【図４】図１によるオフィス椅子の同期デバイスの一部を上方から示す斜視図であり、同期デバイスは図１の図に対応する直立位置にある。
【図５】同期デバイスから座部キャリアを外してデバイスの内部を示す、図４に類似する図である。
【図６】同じく同期デバイスからばねも外されている、図５に類似する図である。
【図７】図４の線ＶＩＩ−ＶＩＩに沿った、図４による同期デバイスの一部を示す断面図である。
【図８】同期デバイスが図２に示す図に対応する傾斜位置にある、図７に類似する図である。
【発明を実施するための形態】
【００１７】
図１から図３は、本発明による同期デバイスの一実施形態が設けられたオフィス椅子の異なる図を示し、図１および図３におけるオフィス椅子は直立位置において示され、図２では傾斜位置において示されている。
【００１８】
図１から図３を参照すると、オフィス椅子は、座部１と、背もたれ２と、車輪５を有するベース４へ接続される椅子の支柱３と、を備える。座部１およびオフィス椅子は、概して、図１および図２の左側に前端を有し、右側に後端を有する。同期デバイス６は、座部キャリア７と、座部アーム８と、背もたれアーム９と、ハウジング１０の形態である滑動部材とを備える。ハウジング１０は、前記座部の長手方向の滑動方向Ｄへ延設される。図１を参照されたい。座部アーム８は２つの平行するアーム部分８ａ、８ｂを備え、これらは、横方向の接続部材８ｃにより中央で連接される。図３を参照されたい。アーム部分８ａ、８ｂは、一方の端で、椅子の支柱３へ固定された中間部材１１を介して椅子の支柱３へ接続される。中間部材１１とアーム部分８ａ、８ｂとの接合の目的は、座部１の傾斜の調整を見込むことにある。しかしながら、座部１と背もたれ２との同期動作の間、この接合は所定の位置にロックされる。アーム部分８ａ、８ｂは、中間部材１１から前方へ座部１の前へ向かって突き出し、ハウス突起１４の穴１３を介して延設されるシャフト１２によってハウジング１０の前部へ接続される。図３を参照されたい。したがって、ハウジング１０は、シャフト１２の長手軸を中心にして旋回することができる。
【００１９】
Ｌ字形の背もたれアーム９は、中間部材１１を介して座部アーム８へ接続され、かつ座部キャリア７の後部へ連接されるべく後方へ突き出し、よって、横軸を中心にして、即ち背もたれアーム９と中間部材１１との接合部において旋回することができる。背もたれアーム９は、座部キャリア７を過ぎると上向きになり、そのＬ字形の短い方の脚部で背もたれ２を受け入れる。
【００２０】
同期デバイス６のパーツを、図４から図８にさらに詳しく示す。図４から分かるように、座部キャリア７は、ほぼ平らなプレートに成形されて座部１の平らな下面に当接し、座部キャリア７と座部１とは座部キャリア７の穴１５を介して延びるねじ（図示せず）によって互いに固定される。座部キャリアは、その横の両側面で個々の長手方向の折り畳み部分へと延設され、各折り畳み部分１６は、ハウジング１０の側方へ突き出す長手方向部分１７を受け入れる。したがって、折り畳み部分１６は、ハウジング１０を座部１の方向Ｄ以外の方向に保持するための手段を形成する。各突出部分１７と個々の折り畳み部分１６との間には、ハウジング１０の別々に形成される部分として摩耗エレメント１８が設けられ、摩耗エレメント１８は、好適には耐摩耗性の低摩擦材料から製造される。図示されている実施形態では、個々の摩耗エレメント１８は、各突出部分１７の長手方向の延設部全体に渡って延びている。図５および図６を参照されたい。したがって、摩耗エレメント１８は長手方向に延設される接触面を形成し、これらは、座部キャリア７の長手方向に延設される対応する接触面、即ち折り畳み部分１６上で滑動することができる。したがって、座部キャリア７は、ハウジング１０に対して座部１の方向Ｄに滑動可能である。
【００２１】
ハウジング１０は、図５において最もよく分かる、予めテンションをかけられている螺旋ばね１９の形態であるばねと、図６において最もよく分かる、調整ロッド２０の一部とを囲み、または収容する。ばね１９は、座部キャリア７と背もたれアーム９との同期動作に対抗するように適合化される。螺旋ばね１９は方向Ｄに延設され、前端で第１のカウンタベアリング２１により、かつ後端で第２のカウンタベアリング２２により支持される。前記同期動作の間、第１のカウンタベアリング２１は座部キャリア７に対して定位置に保持され、プレテンションのかかったばね１９が第１のカウンタベアリング２１を前方へ、即ち方向Ｄとは反対方向へ座部キャリア７と一体式に設けられる停止装置７ａへ当てて押す。前記同期動作の間、第２のカウンタベアリング２２はハウジング１０上の定位置に保持され、第２のカウンタベアリング２２の下部はハウジング１０の下部に埋め込まれる。図７を参照されたい。
【００２２】
調整ロッド２０は、螺旋ばね１９の中空の内部と同軸に、かつ前記中空の内部を通って延設され、調整ロッド２０の一方の端はハウジング１０の前部から延設され、第１の回転ノブ２３はこの端に設けられる。調整ロッド２０は、図５および図７に示すように、各々調整ロッド２０の前端の近く、および後端の近くに位置合わせされる１対のリテーナ２４および２５により座部キャリア７に対する平行移動動作に対抗して保持され、よって、任意の同期動作の間は座部キャリア７および座部１に追随する。リテーナ２４、２５は座部キャリア７の一部を形成しかつ座部キャリア７と一体式であり、かつ座部キャリア７の通常のプレート形状に対して垂直であるように下向きに曲げられる座部キャリア７の複数片の形態である。調整ロッド２０は、クリップ２４ａによってリテーナ２４へ固定される。調整ロッド２０は、第１の回転可能なロッド部材２６および第２の回転不能なロッド部材２７である２つのロッド部材を備える。図６および図７を参照されたい。第１のロッド部材２６は、外側のねじ山２６ａを伴う調整ロッド２０の前部を構成し、クリップ２４ａ内に回転可能式に埋め込まれる。第１のロッド部材は、調整ノブへのアクセス可能性を高めてその扱いをより容易にするために、外側のねじ山２６ａから前側へ、即ち方向Ｄとは反対方向へ入れ子式に引っ張られることが可能である。第２の回転ノブ２３ａには、第１のロッド部材２６の外側のねじ山２６ａに係合する内側のねじ山が設けられる。この回転ノブ２３ａは、座部１の傾斜の間にハウジング１０の外側を当接させるべくハウジング１０へさらに近づいて、またはハウジング１０から遠ざかって位置合わせされることにより調整ロッド２０の滑動動作を制限し、かつこれにより全体的な同期動作を制限するために使用されることが可能である。回転ノブ２３ａが回転すると、回転ノブ２３ａは外側のねじ山２６ａに係合し、ロッド部材２６は方向Ｄへ移動する。
【００２３】
代替例として、第１の回転ノブ２３および第２の回転ノブ２３ａは、座部１の前部に位置合わせされる代わりに座部１の横側へ位置合わせされてもよい。これは、先に述べた先行技術文書ＥＰ１３９６２１３Ｂ１の図１２に示されている同期デバイスに対応するギヤを設けることによって達成されてもよい。
【００２４】
第２のロッド部材２７は、外側のねじ山２７ａを伴う調整ロッド２０の後部を構成し、その上部および下部は、２つの個々の平らな表面２７ｂを形成するようにやすりで、すり落とされている。第２のロッド部材２７は、好適にはプラスチックから製造される固定部材２５ａによってリテーナ２５へ固定され、固定部材２５ａはリテーナ２５の対応的に成形される開口を介して延設される。固定部材２５ａは、第２のロッド部材２７の後端を受け入れるために第２のロッド部材２７の断面に対応する断面を有し、よって、第２のロッド部材２７をその固有の軸を中心とする回転に対抗して固定する。第１のロッド部材２６の外側のねじ山２６ａは回転可能であるが、クリップ２８の形態である回転式ジョイントにより第２のロッド部材２７に対して軸方向へ固定される。
【００２５】
第１のロッド部材の外側のねじ山２６ａは、第１のカウンタベアリング２１と一体式である内側のねじ山２１ａと協働し、内側のねじ山２１ａは、第１のカウンタベアリングが第１のロッド部材２６の回転により第１のロッド部材２６の軸方向へ移動可能であるように回転不能である。したがってユーザは、回転ノブ２３を回すことによってばね１９にプレテンションを与えることができる。ばね１９にプレテンションを与えることは、体重および／または好みが異なる人物に合わせてばね力を調整する際に適する。
【００２６】
第２のカウンタベアリング２２は、内側のねじ山２２ｂを伴う別個のベアリング部分２２ａを備える。図７および図８を参照されたい。ベアリング部分２２ｂは、カウンタベアリング２２の残りの部分に対して回転可能である。ベアリング部分２２ａは、さらに、ハウジング１０の上部をオフィス椅子の後側へ向かって延設されるピン２２ｃを備える。図５および図６も参照されたい。第２の調整ロッド２９は、座部１の横側の下からハウジング１０内へ延設される。図１から図４も参照されたい。第２の調整ロッド２９の突き出した端には、調整ノブ３０が設けられる。反対側の端は、横方向のスリット３１ａを有する調整部材３１へ固定され、調整部材３１は第２の調整ロッド２９へ固定される。調整部材３１は、ハウジング１０および座部キャリア７上で第２の調整ロッド２９の軸方向へ滑動することができる。ベアリング部材２２ａのピン２２ｃは、カウンタベアリング２２の後側に設けられるスプリングリング３２により、調整部材３１のスリット３１ａの内側の一面３１ｂに対抗してばね荷重をかけられる。カウンタベアリング２２の前側には円板ばね３３が設けられ、ロックリング３４により所定の位置に維持される。
【００２７】
したがってユーザは、調整ノブ３０の起動によって、オフィス椅子の座部１および背もたれ２をロック位置へ至らせ、かつロック位置から外すことができる。ロックは、ベアリング部分２２ａの内側のねじ山２２ｂと第２のロッド部材２７の外側のねじ山２７ａとの係合によって達成される。
【００２８】
図面には、椅子の非ロック位置、即ち内側のねじ山２２ｂが外側のねじ山２７ａとの係合から外れている位置が示されている。第２の調整ロッド２９をハウジング１０から遠くへ引っ張ると、ピン２２ｃもスリット３１ａの内面３１ｂとの突合せによって同じ方向へ引っ張られ、これにより、ベアリング部分２２ａは約９０゜回転してロック位置で止まる。調整部材３１が所定の距離だけ引っ張られると、内側のねじ山２２ｂは第２のロッド部材２７の外側のねじ山２７ａに面して円板ばね３３が起動され、調整部材延いては同期デバイス６全体が選ばれた位置に保持される。内側のねじ山２２ｂと外側のねじ山２７ａとの係合は、ロッド２０延いては座部キャリアの滑動方向Ｄへの動作を防止し、よって、同期デバイスが所定の位置にロックされる。ここで、第２の調整ロッド２９をハウジング１０の方向へ押すと、突合せ面３１ｂがピン２２ｃから離れて変位される。ユーザが予め決められた力で寄り掛かると、円板ばね３３はロック係合から素早く外れ、ピン２２ｃは、スプリングリング３２により与えられるばね荷重に起因して反対方向へ回転する。これにより、ベアリング部分２２ａは、再び非ロック位置で、即ち内側のねじ山２２ｂが外側のねじ山２７ａとの係合から外される位置で止まるように反対方向へ回転する。
【００２９】
したがって、非ロック位置では、ユーザはオフィス椅子上で後方または前方へもたれることができ、新しい好適な座位置に達するまで同期動作を続ける。この場合もやはり、ユーザは、ロックロッド３０の起動によってこの好適な位置に椅子をロックすることができる。当業者には明らかであろうが、上述のプレテンションおよびロック機構は、各々ばね１９のプレテンションおよびユーザの座位置の無段調整を見込んでいる。
【００３０】
以下、図１、図２、図６および図７を参照して、座部１と背もたれ２との同期動作について説明する。オフィス椅子が図１および図７の直立位置にあり、ユーザが椅子上で後方へもたれる、または椅子に寄り掛かると、背もたれ２に力が加わり、背もたれ２および背もたれアーム９は第１の角度まで後方へ旋回して座部１および延いては座部キャリア７を引っ張り、図２および図７に示す位置をとるべく後方へ滑動させる。座部１および座部キャリア７も同じく、シャフト１２を中心にして下方へ旋回または傾斜する。座部１および座部キャリア７の旋回角は背もたれ２および背もたれアーム９の旋回角より小さく、即ち約１：２．５である。前記後方動作において、座部１および座部キャリア７はハウジング１０上を滑動し、即ち、折り畳み部分１６の表面が突出部分１７の摩耗エレメント１８上を滑動する。第１のカウンタベアリング２１は、座部１および座部キャリア７と共に滑動してばね１９の前端を第２のカウンタベアリング２２およびばね１９の後部の方向へ押し、よって螺旋ばね１９を収縮させる。図８を参照されたい。ばね１９の収縮は、滑動方向Ｄとは反対方向に作用するばね力を与える。ユーザは次に、上述のロックシステムによって椅子を図２および８のリクライニング位置にロックしてもよい。したがって、椅子は、先に述べたようにしてロックが外されるまでリクライニング位置に留まる。次にユーザは、ユーザが選好すれば、前方へかがんで再び図１および図７の座位置をとってもよい。
【００３１】
図３および図７に示す同期デバイスのパーツの組立ては、下記のステップで実行されてもよい。
【００３２】
１．第２のロッド部材２７を固定部材２５ａへ挿入する。
【００３３】
２．スプリングリング２２ｃをベアリング部分２２ａ上へ位置合わせし、これをカウンタベアリング２２の残りの部分に挿入し、円板ばね３３およびロックリング３４をカウンタベアリング２２へ固定する。
【００３４】
３．第２のロッド部材２７を、カウンタベアリング２２を通して案内する。
【００３５】
４．第１のロッド部材２６の外側のねじ山２６ａを、クリップ２８を介して第２のロッド部材２７へ接続する。
【００３６】
５．第１のロッド部材２７および外側のねじ山２６ａを、荷重されていない螺旋ばね１９を通して案内し、ばね１９の第１の端を第２のカウンタベアリング２２に突き合わせる。
【００３７】
６．第２のロッド部材２７および外側のねじ山２６ａを、第１のカウンタベアリング２１を通して案内し、第１のカウンタベアリング２１をばね１９の第２の端に突き合わせる。ばね１９は、まだ無荷重状態にある。
【００３８】
７．外側のねじ山２６ａに第２の回転ノブ２３ａをねじ込む。
【００３９】
８．第１のロッド部材２６を第１の回転ノブ２３へ固定し、かつ第１のロッド部材２６を、外側のねじ山２６ａを通して案内する。
【００４０】
９．調整部材３１を調整ロッド２０の後端の近くへ位置合わせする。
【００４１】
１０．座部キャリア７をクリップ２４ａおよび固定部材２５ａによって調整ロッド２０へ固定する。
【００４２】
１１．調整ノブ３０を、一方の端で第２の調整ロッド２９へ固定し、第２の調整ロッド２９の他端をハウジング１０内へ案内する。
【００４３】
１２．突出部分１７の各々に摩耗エレメント１８を取り付ける。
【００４４】
１３．摩耗エレメント１８および突出部分１７を座部キャリア７の折り畳み部分１６へ滑り込ませる。最後に、
１４．ロッド部材２６を回転ノブ２３で回して外側のねじ山２６ａと内側のねじ山２１ａとの係合を起動し、これにより、カウンタベアリング２１を座部１の後端へ向かって押しやり、停止装置７ａを通過して最終的に例えば図７に示すような位置へと素早く嵌めて停止装置７ａに突き当て、よって、螺旋ばね１９に予め決められた最小のプレテンションを与える。
【００４５】
図１および図３に示す組み立てられたオフィス椅子を形成するためには、座部アーム８および背もたれアーム９が上述のように組み立てられた同期デバイスのパーツへ接続されて、図１および図３に示すような本発明による同期デバイス６の実施形態が形成される。最後に、オフィス椅子の残りのパーツが同期デバイス６へ接続される。先の説明から明らかであるように、本発明による同期デバイスのこれまでに示した実施形態の組立ては容易であり、複雑ではない。さらに、ばねのプレテンションは、同期デバイスの組立て後まで待つことが可能であり、組立てのプロセスが実質的に単純化される。
【００４６】
これまでに示しかつ記述した実施形態では、座部キャリアは椅子の座部から分離された構成部品として製造される。代替例では、座部キャリアは座部と一体式であり、かつ座部の底部として設けられてもよい。
【００４７】
本発明は、単一のばねを有する実施形態に限定されない。ばね力は、適切な任意の数のばねによって与えられてもよい。一例として、「主ばね」の各側に１つのより小さいばねが位置合わせされてもよく（即ち、諸図の実施形態に関連して述べたようなばね）、これらのより小さいばねは、座部および背もたれの予め画定されたリクライニング位置に達すると起動される。これは、体重がかなり異なる人々によって使用されるべきものであるオフィス椅子において有利であり得る。別の例では、主ばねの下にさらなるばねが１つだけ設けられる。さらに別の例では、２つ以上の「主ばね」が１つの共通ハウジング内に隣り合わせで、または幾つかの別個のハウジング内に設けられる。
【図１】
2010507399.tif 000003
【図２】
2010507399.tif 000004
【図３】
2010507399.tif 000005
【図４】
2010507399.tif 000006
【図５】
2010507399.tif 000007
【図６】
2010507399.tif 000008
【図７】
2010507399.tif 000009
【図８】
2010507399.tif 000010
【国際調査報告】
2010507399.tif 000011
2010507399.tif 000012
2010507399.tif 000013